(57)【要約】【課題】タオルを数枚重ねで一まとめに収納保管でき、必要時には１枚ずつ取り出せるタオル入れを提供する。【解決手段】11外箱本体１ａが、前後方向に長い角筒状に形成された外箱１と、内箱本体２ａが六面体の角箱状に形成されて外箱１内に前後摺動自在に挿嵌される内箱２と、上下に積み重なる状態で内箱２内に収納される数枚のタオルＴとを含む。外箱本体１ａの上面板３の前方寄り部位には、第１取出口１６を設ける。内箱本体２ａの上面板１９の後方寄り部位には、第２取出口３５を設ける。外箱１に内箱２を納めた挿入状態においては、外箱本体１ａ側の第１取出口１６が、内箱本体２ａの上面板１９の前半部分で閉じられている。外箱１から内箱２を前方へ引き出した突出状態においては、内箱本体２ａ側の第２取出口３５が外箱本体１ａ側の第１取出口１６に臨み、第１・第２取出口１６・３５から内箱２内のタオルＴを取り出すことができる。【選択図】図４
0003104761.tif 000002
【実用新案登録請求の範囲】
【請求項１】
外箱本体１ａが、前後方向に長い角筒状に形成された外箱１と、
内箱本体２ａが、六面体の角箱状に形成され、外箱１内に前後摺動自在に挿嵌される内箱２と、
上下に積み重なる状態で内箱２内に収納される数枚のタオルＴと、
外箱本体１ａの上面板３の前方寄り部位に設けた第１取出口１６と、
内箱本体２ａの上面板１９の後方寄り部位に設けた第２取出口３５とを含み、
外箱１に内箱２を納めた挿入状態においては、外箱本体１ａ側の第１取出口１６が、内箱本体２ａの上面板１９の前半部分で閉じられており、
外箱１から内箱２を前方へ引き出した突出状態においては、内箱本体２ａ側の第２取出口３５が外箱本体１ａ側の第１取出口１６に臨み、第１・第２取出口１６・３５から内箱２内のタオルＴを取り出すことができるようにしたことを特徴とするタオル入れ。
【請求項２】
上面板３、左右の側面板４および下面板５を有して前後面が開口する外箱本体１ａが、前後方向に長い角筒状に形成されており、上面板３の後端に外箱本体１ａの後面を開閉する蓋板６が揺動自在に連設された外箱１と、
上面板１９、左右の側面板２０、下面板２１および前面板２２を有して後面が開口する内箱本体２ａが、外箱本体１ａ内に収まる前後方向長さの角箱状に形成されており、上面板１９の後端に内箱本体２ａの後面を開閉する蓋板２３が揺動自在に連設された内箱２とを含み、
外箱１の内部に、これの前後の一側面から内箱２が前後摺動自在に差し込まれており、
外箱本体１ａの下面板５の前端に、第１止め片１１が外箱本体１ａの下面板５の内面側に折り曲げ連設されており、
内箱本体２ａの下面板２１の後端に、第２止め片３０が内箱本体２ａの下面板２１の外面側に折り曲げ連設されており、
内箱２側の第２止め片３０の連出端が、外箱１側の第１止め片１１の連出端で受け止められることにより、外箱１からの内箱２の前方への引き出し限界が規制されており、
内箱本体２ａの前面板２２に、指掛け用の窓口３６が設けられており、
外箱本体１ａの上面板３に第１取出口１６が、内箱本体２ａの上面板１９に第２取出口３５がそれぞれ設けられており、
外箱１の開口前面を内箱本体２ａの前面板２２で閉じるよう外箱１に内箱２を収納した状態では、外箱１側の第１取出口１６が内箱本体２ａの上面板１９で閉じられており、
外箱１から内箱２を前方の引き出し限界位置にまで引き出した状態では、内箱２側の第２取出口３５が外箱１側の第１取出口１６に臨み、内箱本体２ａ内に上下方向に積み重ねた数枚のタオルＴが１枚ずつ両取出口１６・３５を介して外部に指先でつまみ出せるようにしたことを特徴とするタオル入れ。
【請求項３】
外箱１と内箱２とが、厚紙製である請求項２記載のタオル入れ。
【請求項４】
外箱１の蓋板６の連出端に、外箱本体１ａの下面板５の内側上面に差し込まれる第１差込片９が、折線Ｌ５を介して折り曲げ自在に連設されており、
外箱本体１ａの下面板５には、後端の左右方向中央部位に第１係止片１３が折り曲げ自在に連設されており、
外箱１の蓋板６と第１差込片９とをつなぐ折線Ｌ５の左右方向中央部位には、第１係止片１３が嵌入係合する第１切込１５が設けられている請求項３記載のタオル入れ。
【請求項５】
内箱本体２ａの前面板２２が、内箱本体２ａの上面板１９の前端に折線Ｒ４を介して折り曲げ自在に連設されており、
内箱本体２ａの前面板２２の連出端に、内箱本体２ａの下面板２１の内側上面に差し込まれる第２差込片２６が、折線Ｒ５を介して折り曲げ自在に連設されており、
内箱本体２ａの下面板２１には、前端の左右方向中央部位に第２係止片３２が折り曲げ連設されており、
内箱２の前面板２２と第２差込片２６とをつなぐ折線Ｒ５の左右方向中央部位には、第２係止片３２が嵌入係合する第２切込３３が設けられている請求項４記載のタオル入れ。
【考案の詳細な説明】
【技術分野】
【０００１】
本考案は、数枚のタオルを１枚ずつ取り出せるように収納保管するタオル入れに関する。
【背景技術】
【０００２】
タオルや衣類などのある種の物品を整然と収納保管する従来ケースとして、該当物品が入る内箱を外箱内に前後摺動自在に挿嵌し、外箱の前方に内箱を引き出し操作して内箱の開口上面から収納物を取り出す形態が広く知られている。例えば、特許文献１に同種のケースが認められる。
【０００３】
その特許文献１では、外箱の下面板の前端縁から第１止め片を該下面板の上側内面に折り返し連設し、内箱の下面板の後端縁からは第２止め片を該下面板の下側外面に折り返し連設し、外箱の前方に内箱を引き出したとき、内箱側の第２止め片が外箱側の下面板と第１止め片との間に潜り込むようにして、外箱からの内箱の抜け出しを規制している。
【０００４】
【特許文献１】特開２０００−１７７７２９号公報
【考案の開示】
【考案が解決しようとする課題】
【０００５】
しかし、内箱の上面を開放しておき、外箱から内箱を前方に大きく引き出して、内箱の開口上面から収納物を上方に取り出す通常の形態では、外箱からの内箱の引き出し量が大きくなり過ぎる。扁平に折り畳んだタオルの場合、１枚のタオルを取り出したときに、内箱に重ねた残りのタオルが形崩れして上方に浮き上がり、次に外箱へ内箱を元の状態に挿嵌しようとすると、最上段のタオルが外箱と内箱との間にかみ込みやすく、外箱に対する内箱の出し入れに手間取りやすい不便がある。
【０００６】
また、特許文献１の前方への抜け出し規制手段では、収納ケースとその内容物の重量などにより、内箱の第２止め片が外箱の第１止め片の下側にうまく滑り込むことができないおそれがあった。
【０００７】
そこで本考案の目的は、内箱に数枚のタオルを圧縮状態で一旦収納してしまえば、後は外箱に対して内箱を円滑に摺動操作でき、しかも収納タオルを１枚ずつ取り出すことができるタオル入れを提供することにある。本考案の目的は、数枚のタオルを一まとめにして流通の場に供し得る梱包箱でありながら、消費者はそのタオルを洗濯後にも再度まとめて収納保管できるタオル入れを提供することにある。本考案の目的は、卓上に置いても体裁が良くて、安価に提供できるタオル入れを提供することにある。本考案の目的は、外箱から内箱が不用意に抜け出ることがなく、塵埃などによる汚れを確実に防止できるタオル入れを提供することにある。
【課題を解決するための手段】
【０００８】
本考案に係るタオル入れは、図１に示すごとく、外箱本体１ａが、前後方向に長い角筒状に形成された外箱１と、内箱本体２ａが、六面体の角箱状に形成され、外箱１内に前後摺動自在に挿嵌される内箱２と、上下に積み重なる状態で内箱２内に収納される数枚のタオルＴと、外箱本体１ａの上面板３の前方寄り部位に設けた第１取出口１６と、内箱本体２ａの上面板１９の後方寄り部位に設けた第２取出口３５とを含む。外箱１に内箱２を納めた挿入状態においては、外箱本体１ａ側の第１取出口１６が、図２に示すごとく内箱本体２ａの上面板１９の前半部分で閉じられており、外箱１から内箱２を前方へ引き出した図３の突出状態においては、内箱本体２ａ側の第２取出口３５が外箱本体１ａ側の第１取出口１６に臨み、第１・第２取出口１６・３５から内箱２内のタオルＴを取り出すことができるようにしたことを特徴とする。
【考案の効果】
【０００９】
請求項１記載の本考案に係るタオル入れによれば、内箱２に数枚のタオルＴを上下に積み重ねた状態で収納し、タオルＴ入りの内箱２を外箱１内に挿嵌することにより、数枚のタオルＴを一まとめにして流通の場に供することができる。その際、外箱１は梱包用の保護ケースとなる。外箱本体１ａの第１取出口１６は内箱本体２ａの上面板１９で、内箱本体２ａの第２取出口３５外箱本体１ａの上面板３でそれぞれ閉じられているので、内箱本体２ａ内の密封性をよく維持できる。
【００１０】
本案タオル入れの購入者は、外箱１から内箱２を前方へ僅かに引き出せば、外箱本体１ａの上面板３の第１取出口１６に内箱本体２ａの上面板１９の第２取出口３５が臨むので、第１・第２の取出口１６・３５から内箱本体２ａ内のタオルＴを上に重ねたものから順に１枚ずつつまみ出せる。外箱１の前方に内箱２を大きく引き出す必要がない。内箱本体２ａ内にタオルＴが圧縮状態で積み重ねてあっても、外箱１に対して内箱２を円滑に前後摺動させることができる。引き出した内箱２は、外箱１内に挿嵌し直すことにより、外箱１側の第１取出口１６を閉じて密封状態にしておけるので、衛生的である。卓上に置いておいても体裁が良い。
【００１１】
請求項２記載の本案タオル入れによれば、上記の作用効果に加えて、内箱本体２ａの上面板１９の後端に蓋板２３が連設されているので、この蓋板２３で内箱本体２ａの後面を開口状態と閉じ状態とに開閉操作でき、蓋板２３を開けて内箱本体２ａ内に洗濯後のタオルＴを入れることになる。ついで、外箱本体１ａの上面板３の後端に蓋板６が連設されているので、この蓋板６を開けて外箱１内に内箱２を後方側から挿嵌できる。
【００１２】
内箱本体２ａの前面板２２には、窓口３６を設けてあるので、この窓口３６に指先を掛けることにより、外箱１を一方の手で上方から押さえ付けた状態で他方の手で内箱２を外箱１の前方外側へ円滑に引き出せる。
【００１３】
外箱１から内箱２を前方へ引き出すと、図３に示すごとく内箱２側の第２止め片３０の前方連出端縁が、外箱１側の第２止め片１１の後方連出端縁に突き当たって外箱１からの内箱２の引き出し限界が規制される。すなわち、外箱１に対して内箱２を大きく引き出さなくても、引き出し途中でそれ以上の抜け出しが規制され、この状態で第１取出口１６と第２取出口３５とが合致してタオルＴをつまみ出せるようになる。換言すれば、外箱１から内箱２を僅かに引き出した状態でも、第１止め片１１と第２止め片３０との連出端縁どうしが確実に突き当たるようにすることができる。
【００１４】
請求項３記載の本考案によれば、外箱１と内箱２とが共にダンボール紙などの厚紙製であるから、トムソン加工で厚紙を所定パターンに連続的に打ち抜いたのち組み立てればよく、量産性に適い安価に提供できる。先の第１止め片１１と第２止め片３０も厚紙製であれば、両者の連出端縁どうしが空振りすることなく確実に突き当たることになる。
【００１５】
請求項４記載の本考案によれば、外箱本体１ａの後面を第１差込片９付きの蓋板６で閉じたのち、第１係止片１３を第１切込１５に嵌入係合することにより、タオル入れの全体を後方下がりに傾斜させても、タオルＴの重みで内箱２が蓋板６を押し開けて外箱１の後方外側へ不用意に抜け出ることがない。
【００１６】
そのうえで請求項５記載の本考案によれば、内箱本体２ａの前面を第２差込片２６付きの前面板２２で閉じたのち、内箱２側の第２係止片３２を第２切込３３に嵌入係合することにより、前面板２２で内箱本体２ａの前面を確りと閉じ状態に維持できる。したがって、内箱本体２ａにこれの後方からタオルＴを押し入れる際や、前面板２２に設けた窓口３６に指を掛けて内箱２の全体を外箱１から前方に引き出す際などに、内箱本体２ａの前面板２２が不用意に開くことがない。
【考案を実施するための最良の形態】
【００１７】
本考案に係るタオル入れは、それぞれ厚紙（ダンボール紙）を所定形状に打ち抜いて組み立てた外箱１と内箱２とからなる。
【００１８】
図５において外箱１は、これの外箱本体１ａが上面板３、左右の側面板４および下面板５を有して前後方向に長い角筒状に形成されており、上面板３の後端に外箱本体１ａの開口後面を開閉する蓋板６が連設されている。
【００１９】
すなわち、外箱１は、展開状態において上面板３の左右端に折線Ｌ１・Ｌ１を介して左右の側面板４・４を連設し、右側面板４の連出端に折線Ｌ２を介して下面板５を連設し、下面板５の連出端に折線Ｌ３を介して糊代片７を連設する。上面板３の後端には、折線Ｌ４を介して蓋板６を揺動自在に連設し、蓋板６の連出端に折線Ｌ５を介して第１差込片９を連設する。更に、左右の各側面板４・４の後端には、折線Ｌ６を介してフラップ１０をそれぞれ連設する。
【００２０】
外箱本体１ａは、上面板３に対して左右の側面板４・４ついで下面板５を折線Ｌ１・Ｌ１、Ｌ２を介してそれぞれ内折し、折線Ｌ３を介して内折した糊代片７を左側面板４の内面下端に接着することにより、角筒状に組み立てられる。
【００２１】
かかる外箱１において、その下面板５の前端には折線Ｌ７を介して第１止め片１１を連設する。この第１止め片１１は下面板５の内面側に折り返す。
【００２２】
外箱本体１ａの下面板５の後端には、左右方向の中央部位に２本の切り１２を入れて第１係止片１３が二つの折線Ｌ８・Ｌ９を介して折り曲げ自在に連設されている。一方、外箱１の蓋板６と第１差込片９とをつなぐ折線Ｌ５の左右方向中央部位には、第１切込１５を設けてあり、外箱本体１ａの開口後面を蓋板６で閉じた状態において、第１係止片１３を第１切込１５に嵌入係合することにより、蓋板６を閉じ姿勢に維持できる。
【００２３】
本考案では、かかる外箱１において、上面板３の前方寄り部位に三日月形の第１取出口１６が貫通状に設けられており、蓋板６の中央に指掛けを兼ねる通気孔１７が貫通状に設けられている。
【００２４】
図６において内箱２は、これの内箱本体２ａが上面板１９、左右の側面板２０、下面板２１、および前面板２２を有して後面が開口する前後方向に長い角箱状に形成されており、上面板１９の後端に内箱本体２ａの開口後面を開閉する蓋板２３が連設されている。
【００２５】
すなわち、内箱２は、展開状態において上面板１９の左右端に折線Ｒ１・Ｒ１を介して左右の側面板２０・２０を連設し、右側面板２０の連出端に折線Ｒ２を介して下面板２１を連設し、下面板２１の連出端に折線Ｒ３を介して糊代片２５を連設する。上面板１９の前端には、折線Ｒ４を介して前面板２２を揺動自在に連設し、前面板２２の連出端に折線Ｒ５を介して第２差込片２６を連設する。上面板１９の後端には、折線Ｒ６を介して蓋板２３を揺動自在に連設し、蓋板２３の連出端に折線Ｒ７を介して差込片２７を連設する。更に、左右の各側面板２０・２０の前後端には、各折線Ｒ８を介してフラップ２９をそれぞれ連設する。
【００２６】
内箱本体２ａは、上面板１９に対して左右の側面板２０・２０ついで下面板２１を折線Ｒ１・Ｒ１、Ｒ２を介してそれぞれ内折し、折線Ｒ３を介して内折した糊代片２５を左側面板２０の内面下端に接着したのち、各側面板２０のフラップ２５を折線Ｒ８を介して内折し、続いて前面板２２および蓋板２３を折線Ｒ４・Ｒ６を介して内折して、それぞれの差込片２６・２７を折線Ｒ５・Ｒ７を介して下面板２１の前後端の内面側に差し込むことにより、六面体の角箱状に組み立てることができる。
【００２７】
かかる内箱２において、その下面板２１の後端には折線Ｒ９を介して第２止め片３０を連設する。この第２止め片３０は下面板２１の外面側に折り返す。
【００２８】
内箱本体２ａの下面板２１の前端には、左右方向の中央部位に２本の切り３１を入れて第２係止片３２が二つの折線Ｒ１０・Ｒ１１を介して折り曲げ自在に連設されている。一方、外箱本体２ａの前面板２２と第２差込片２６とをつなぐ折線Ｒ５の左右方向中央部位には、第２切込３３を設けてあり、内箱本体２ａの前面を前面板２２で閉じた状態において、第２係止片３２を第２切込３３に嵌入係合することにより、前面板２２を閉じ姿勢に維持できる。
【００２９】
本考案では、かかる内箱２において、上面板１９の後方寄り部位に三日月形の第２取出口３５が貫通状に設けられており、前面板２２の中央に指掛け用の窓口３６が貫通状に設けられている。
【００３０】
本考案のタオル入れは、内箱２の内部に数枚のタオルＴを上下に積み重ねた状態で収納し、タオルＴ入りの内箱２を外箱１の内部に挿嵌することになる。
【００３１】
各タオルＴは、ハンドタオルであって四つ折り状態に圧縮して積み重ねる。内箱２の蓋板２３およびフラップ２９を開き、内箱本体２ａ内にこれの開口後面からタオルＴを入れ、フラップ２９ついで蓋板２３を閉じ操作して内箱本体２ａの後面を閉じる。
【００３２】
次に、外箱１の蓋板６およびフラップ１０を開いて、外箱本体１ａの開口後面に内箱２の前端を差し込み、そのまま外箱本体１ａ内に内箱２を挿嵌する。その際、外箱１の第１止め片１１は内側に、内箱２の第２止め片３０は外側にそれぞれ予め折り曲げておく。これにより、第１止め片１１と第２止め片３０とは、外箱本体１ａの下面板５と内箱本体２ａの下面板２１との間に挟み込まれた状態にある。
【００３３】
外箱１内に内箱２を挿嵌したのち、外箱１側のフラップ１０ついで蓋板６で外箱本体１ａの後面を閉じる。その際、第１切込１５に第１係止片１３を嵌入係合し、蓋板６が不用意に開かないよう保持する。
【００３４】
外箱１内に内箱２が完全に挿嵌された納まり状態において、外箱本体１ａの上面板３に設けた第１取出口１６は、内箱本体２ａの上面板１９の前半部で内側から閉じられており、内箱２内のタオル収納空間は密封状態にある。したがって、本考案のタオル入れは、そのまま商品タオルの梱包ケースとして流通の場に供し得る。
【００３５】
本案タオル入れを購入した使用者が内部のタオルＴを取り出すときは、内箱本体２ａの前面板２２の窓口３６に指先を掛けて、外箱本体１ａの開口前面側から内箱２の全体を前方外側に引き出す。このとき、図３に示すごとく内箱本体２ａの第２止め片３０の連出前端縁が外箱本体１ａの第１止め片１１の連出後端縁と当接することにより、外箱１に対する内箱２の前方への引き出し限界が規制される。外箱１からの内箱２の引き出し可能量は極く僅かに設定されている。
【００３６】
内箱２を前方の限界位置にまで引き出すと、内箱本体２ａ側の第２取出口３５が外箱本体１ａ側の第１取出口１６に臨み、両取出口３５・１６を介してタオルＴを上のものから順に指先でつかんで上方へ取り出すことができる。不使用時には、外箱１内に内箱２を入れ戻して第１取出口１６を閉じておくことにより、塵埃が内箱本体２ａ内に侵入するのを防止できる。
【００３７】
使用済みのタオルは、洗濯後に同じ要領で内箱本体２ａ内に数枚のタオルを圧縮状態で積み重ねて入れ、その内箱２を外箱１に組み込むことにより、内箱２から内蔵のタオルＴを１枚ずつ必要に応じて取り出すことになる。したがって、本考案のタオル入れは、タオルＴの収納保管入れとしても使用し続けることができる。
【００３８】
外箱本体１ａの蓋板６の中央には、通気孔１７を設けてあるので、外箱１内に内箱２が密着状態で前後摺動する形式であっても、外箱１内の空気が通気孔１７より出入りし、負圧状態や加圧状態にならず、外箱１に対して内箱２を滑らかに摺動操作できる。
【００３９】
内箱２に収納すべきタオルＴは、ハンカチや手拭いなどを含む。外箱本体１ａの第１取出口１６は、その上面板３の前方寄り部位を全面的に開放して形成し、内箱本体２ａの第２取出口３５は、その上面板１９の後方寄り部位を全面的に開放して形成してあってもよい。
【図面の簡単な説明】
【００４０】
【図１】本考案の構成部材の斜視図
【図２】外箱に内箱が挿嵌された状態での中央縦断側面図
【図３】外箱から内箱を引き出した状態での中央縦断側面図
【図４】タオルを取り出すときの要領を説明する斜視図
【図５】外箱を展開した状態での斜視図
【図６】内箱を展開した状態での斜視図
【符号の説明】
【００４１】
１  外箱
１a 外箱本体
２  内箱
２a 内箱本体
３  外箱本体の上面板
４  外箱本体の左右の側面板
５  外箱本体の下面板
６  外箱の蓋板
９  第１差込片
１１  第１止め片
１３  第１係止片
１５  第１切込
１６  第１取出口
１９  内箱本体の上面板
２０  内箱本体の左右の側面板
２１  内箱本体の下面板
２２  内箱本体の前面板
２３  内箱の蓋板
２６  第２差込片
３０  第２止め片
３２  第２係止片
３３  第２切込
３５  第２取出口
３６  窓口
【図１】
0003104761.tif 000003
【図２】
0003104761.tif 000004
【図３】
0003104761.tif 000005
【図４】
0003104761.tif 000006
【図５】
0003104761.tif 000007
【図６】
0003104761.tif 000008